(57)【要約】【課題】部屋の広さ、部屋の湿度、衣類の量などの条件が異なった場合にも、所定時間内に衣類を適正に乾燥させることができる除湿機を提供することを目的とする。【解決手段】一定間隔で検知した周辺空気の温度Ｔｒと相対湿度Ｈｒとから、目標乾燥加速度ΔＴｘを設定し（Ｓ２１）、一定期間毎に乾燥加速度を算出し、その算出した乾燥加速度と前記目標乾燥加速度ΔＴｘとを比較し（Ｓ２２）、Ｔｔ−Ｔ（ｔ−１）＜ΔＴｘであれば、除湿能力を高めて（Ｓ２３）、Ｔｔ−Ｔ（ｔ−１）＜ΔＴｘでなければ除湿能力を低めて（Ｓ２４）除湿能力を調整する。【選択図】図３
2010145064.tif 000002
【特許請求の範囲】
【請求項１】
本体内に設けた空気を除湿する除湿手段と、空気を送風する送風手段と除湿対象空気を過熱するヒータ制御手段と、前記除湿手段と送風手段とヒータ制御手段の運転を制御する制御部と、周辺空気の湿度を検知する湿度センサと、周辺空気の温度を検出する温度センサとを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎に乾燥速度の変化量を乾燥加速度として検出するアルゴリズムと、前記乾燥化速度に応じて除湿能力を調整するアルゴリズムと、前記一定期間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、所定時間内の衣類の乾燥終了を目標に衣類乾燥を行う乾燥装置。
【請求項２】
一定期間毎に検出した湿度センサと温度センサの検出値に基づいて目標乾燥加速度を設定し、一定期間毎に算出した乾燥加速度と比較するアルゴリズムと、この比較結果から除湿能力を調整するアルゴリズムを有する請求項１記載の除湿装置。
【請求項３】
制御部は、送風手段の送風量を変化させることにより除湿能力を調整するアルゴリズムを有する請求項１記載の除湿機。
【請求項４】
制御部は、ヒータ制御手段の加熱量を変化させることにより除湿能力を調整するアルゴリズムを有する請求項１記載の除湿機。
【請求項５】
制御部は、除湿能力の表示をするか否かを判定するアルゴリズムを有する請求項１記載の除湿機。
【請求項６】
除湿能力の表示をＯＮ／ＯＦＦするスイッチを設けた請求項５記載の除湿機。
【請求項７】
制御部は、除湿能力の調整を行うか行わないかを選択して設定する構成を有する請求項１記載の除湿機。
【請求項８】
制御部は、本体周辺の人の存在を検知する人感センサの検知結果に応じて、除湿能力の調整を行うか行わないかを判断するアルゴリズムを有する請求項７記載の除湿機。
【請求項９】
制御部は、本体周辺の照度を検知する照度センサの検知結果に応じて、除湿能力の調整を行うか行わないかを判断するアルゴリズムを有する請求項７記載の除湿機。
【請求項１０】
制御部は、自動で運転を停止することを特徴とする請求項１記載の除湿機。
【請求項１１】
制御部は、前記乾燥速度の変化量に応じた表示をするか否かを判定するアルゴリズムを有する請求項１記載の除湿機。
【請求項１２】
乾燥速度の変化量に応じた表示をＯＮ／ＯＦＦするスイッチを備えた請求項１１記載の除湿機。
【請求項１３】
制御部は、前記乾燥速度の変化量に応じた音で報知する機能を備えた請求項１記載の除湿機。
【請求項１４】
乾燥速度の変化量に応じた音で報知する機能をＯＮ／ＯＦＦするスイッチを備えた請求項１３記載の除湿機。
【発明の詳細な説明】
【技術分野】
【０００１】
本発明は、室内に吊り下げた衣類を乾燥する機能を備えた除湿機に関する。
【背景技術】
【０００２】
従来、この種の衣類乾燥機能を備えた除湿機は、室内に吊り下げた衣類を乾燥させる場合に、除湿機に設けたタイマーの時限を使用者が設定することで、衣類乾燥運転を終了することが一般的であった（例えば、特許文献１参照）。
【特許文献１】特開２００１−１４１２８４号公報
【発明の開示】
【発明が解決しようとする課題】
【０００３】
従来の方法では、室内の広さや衣類の量、及び室内の温度や湿度の条件により衣類の未乾燥（生乾き）や、過乾燥（乾き過ぎ）が発生するという課題があった。
【０００４】
本発明は、このような従来の課題を解決するものであり、衣類乾燥運転中に衣類の乾燥度を判定する手段を備えて、この手段の判断により、必要であれば除湿機の除湿能力を高めたり、低めたりして調節を行い、衣類を所定時間に適正に乾燥することが出来る除湿機を提供することを目的としている。
【課題を解決するための手段】
【０００５】
本発明の除湿機は上記目的を達成するために、本体内に設けた空気を除湿する除湿手段と、空気を送風する送風手段と除湿対象空気を過熱するヒータ制御手段と、前記除湿手段と送風手段とヒータ制御手段の運転を制御する制御部と、周辺空気の湿度を検知する湿度センサと、周辺空気の温度を検出する温度センサとを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎に乾燥速度の変化量を乾燥加速度として検出するアルゴリズムと、前記乾燥化速度に応じて除湿能力を調整するアルゴリズムと、前記一定期間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、所定時間内の衣類の乾燥終了を目標に衣類乾燥を行う構成としたものである。
【０００６】
この手段により、衣類の量や部屋の広さなどの影響を少なくして、衣類を所定時間に乾燥することができる除湿機が得られる。また、衣類乾燥運転中に衣類の追加や、窓の開閉による周辺の温湿度環境の変化に応じた除湿能力の調整ができ、効率の良い運転が可能となる除湿機が得られる。
【０００７】
また、他の手段は、一定期間毎に検出した湿度センサと温度センサの検出値に基づいて目標乾燥加速度を設定し、一定期間毎に算出した乾燥加速度と比較するアルゴリズムと、この比較結果から除湿能力を調整するアルゴリズムを有するものである。
【０００８】
この手段により、目標乾燥加速度と一定時間毎に算出した乾燥速度から除湿能力を調整して衣類を所定時間に乾燥することができる除湿機が得られる。
【０００９】
また、他の手段は、前記制御部は、前記送風手段の送風量を変化させることにより除湿能力を調整するアルゴリズムを有するものである。
【００１０】
この手段により、除湿能力を高めた時は、送風ファンの回転数を上げることにより、強い風を衣類へあて、衣類がより乾燥しやすくなり生乾きを防止する事ができる除湿機が得られる。また、除湿能力を低めた時は、送風ファンの回転数を下げることにより、無駄な電力消費を削減でき省エネ効果を得ることができる除湿機が得られる。
【００１１】
また、他の手段は、前記制御部は、前記ヒータ制御手段の加熱量を変化させることにより除湿能力を調整するアルゴリズムを有するものである。
【００１２】
この手段により、除湿能力を高めた時は、加熱量を上げて、高温の空気を衣類へあてることにより、衣類がより乾燥しやすくなり生乾きを防止する事ができる除湿機が得られる。また、除湿能力を低めた時は、加熱量を下げることにより、無駄な電力消費を削減でき省エネ効果を得ることができる除湿機が得られる。
【００１３】
また、他の手段は、制御部は、除湿能力を表示するか否かを判定するアルゴリズムを有するものである。
【００１４】
この手段により、使用者が除湿能力の調整状況が視覚的に認識することができることにより、衣類の干し方を調整する行動を起こすことができ、使い勝手の向上が図れることができる除湿機が得られる。
【００１５】
また、他の手段は、除湿能力の表示をＯＮ／ＯＦＦするスイッチを備えたものである。
【００１６】
この手段により、使用者が就寝中等に表示の明かりが気になる時に消すことができ、使い勝っての向上が図れ、表示を消すことにより省エネを図ることができる除湿機が得られる。
【００１７】
また、他の手段は、制御部は、除湿能力の調整を行うか行わないかを選択して設定する構成を有するものである。
【００１８】
この手段により、使用者が就寝中や除湿機の近傍にいる場合に、除湿能力を高めた時に発生する騒音の増大と室温の上昇防止が図れる事ができる除湿機が得られる。
【００１９】
また、他の手段は、制御部は、本体周辺の人の存在を検知する人感センサの検知結果に応じて、除湿能力の調整を行うか行わないかを判断することを特徴としたものである。
【００２０】
この手段により、除湿能力を高めた場合に発生する騒音の増大と室温の上昇防止が使用者の操作をすることなく自動で行え、使い勝手の向上と快適性を得ることができる除湿機が得られる。
【００２１】
また、他の手段は、前記制御部は、本体周辺の照度を検知する照度センサの検知結果に応じて、除湿能力の調整を行うか行わないかを判断するアルゴリズムを有したものである。
【００２２】
この手段により、除湿能力を高めた場合に発生する騒音の増大と室温の上昇防止が使用者の操作をすることなく自動で行え、使い勝手の向上と快適性を得る事ができる除湿機が得られる。
【００２３】
また、他の手段は、前記制御部は、自動で運転を停止するアルゴリズムを有したものである。
【００２４】
この手段により、衣類の乾き度合いを使用者が確認しながら運転を手動で停止する作業が省略でき使い勝って向上を図る事ができる除湿機が得られる。
【００２５】
また、ほかの手段は、制御部は、前記乾燥速度の変化量に応じた表示をするか否かを判定するアルゴリズムを有したものである。
【００２６】
この手段により、使用者が周辺の温湿度環境の変化状況が視覚的に認識することができることにより、衣類の干し方を調整する行動を起こすことができ、使い勝手の向上を図る事ができる除湿機が得られる。
【００２７】
また、他の手段は、乾燥速度の変化量に応じた表示をＯＮ／ＯＦＦするスイッチを備えたものである。
【００２８】
この手段により、使用者が就寝中等に表示の明かりが気になる時に消すことができ使い勝っての向上と省エネ性を得ることができる除湿機が得られる。
【００２９】
また、他の手段は、制御部は、前記乾燥速度の変化量に応じた音で報知する機能を備えたものである。
【００３０】
この手段により、使用者が周辺の温湿度環境の変化状況が聴覚的に認識することができることにより、衣類の干し方を調整する行動を起こすことができ、使い勝手の向上を図る事ができる除湿機が得られる。
【００３１】
また、他の手段は、乾燥速度の変化量に応じた音で報知する機能をＯＮ／ＯＦＦするスイッチを備えたものである。
【００３２】
この手段により、使用者が就寝中等に静寂な環境を必要とする時に報知する音を消すことができ使い勝っての向上が図れる事ができる除湿機が得られる。
【発明の効果】
【００３３】
本発明によれば、本体内に設けた空気を除湿する除湿手段と、空気を送風する送風手段と除湿対象空気を過熱するヒータ制御手段と、前記除湿手段と送風手段とヒータ制御手段の運転を制御する制御部と、周辺空気の湿度を検知する湿度センサと、周辺空気の温度を検出する温度センサとを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎に乾燥速度の変化量を乾燥加速度として検出するアルゴリズムと、前記乾燥化速度に応じて除湿能力を調整するアルゴリズムと、前記一定期間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、所定時間内の衣類の乾燥終了を目標に衣類乾燥を行う構成として、部屋の広さ、部屋の湿度、衣類の量などの条件が異なった場合、運転の途中に周辺の温湿度環境が変化した場合にも、所定時間内に衣類を適正に乾燥させることができるとう効果のある除湿機を提供できる。
【発明を実施するための最良の形態】
【００３４】
本発明の請求項１記載の発明は、本体内に設けた空気を除湿する除湿手段と、空気を送風する送風手段と除湿対象空気を過熱するヒータ制御手段と、前記除湿手段と送風手段とヒータ制御手段の運転を制御する制御部と、周辺空気の湿度を検知する湿度センサと、周辺空気の温度を検出する温度センサとを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎に乾燥速度の変化量を乾燥加速度として検出するアルゴリズムと、前記乾燥化速度に応じて除湿能力を調整するアルゴリズムと、前記一定期間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、所定時間内の衣類の乾燥終了を目標に衣類乾燥を行う構成としたものであり、一定時間毎に算出した乾燥加速度と目標乾燥加速度から除湿能力を調整して乾燥運転をするとともに、衣類乾燥運転時に算出した総乾燥量と一定時間毎に算出した乾燥量を比較して衣類乾燥の終了を判断するという作用を有する。
【００３５】
また、請求項２記載の発明は、一定期間毎に検出した湿度センサと温度センサの検出値に基づいて目標乾燥加速度を設定し、一定期間毎に算出した乾燥加速度と比較するアルゴリズムと、この比較結果から除湿能力を調整するアルゴリズムを有するものであり、目標乾燥加速度と一定時間毎に算出した乾燥速度から除湿能力を調整して衣類を行なうという作用を有する。
【００３６】
また、請求項３記載の発明は、制御部は、送風手段の送風量を変化させることにより除湿能力を調整するアルゴリズムを有するものであり、除湿能力を高めた時は、送風ファンの回転数を上げることにより、強い風を衣類へあて、衣類がより乾燥しやすくなり生乾きの防止となり、除湿能力を低めた時は、送風ファンの回転数を下げることにより、無駄な電力消費を削減でき省エネすることができるという作用を有する。
【００３７】
また、請求項４記載の発明は、前記制御部は、前記ヒータ制御手段の加熱量を変化させることにより除湿能力を調整するアルゴリズムを有するものであり、除湿能力を高めた時は、加熱量を上げることにより、高温の空気を衣類へあてることにより、衣類がより乾燥しやすくなり生乾きの防止となり、除湿能力を低めた時は、加熱量を下げることにより、無駄な電力消費を削減でき省エネすることができるという作用を有する。
【００３８】
また、請求項５記載の発明は、制御部は、除湿能力を表示するか否かを判定するアルゴリズムを有するものであり、使用者が除湿能力の調整状況が視覚的に認識することができることにより、衣類の干し方を調整する行動を起こすことができ、使い勝手の向上が図れるという作用を有する。
【００３９】
また、請求項６記載の発明は、除湿能力の表示をＯＮＮ／ＯＦＦするスイッチを備えたものであり、使用者が就寝中等に表示の明かりが気になる時に消すことができ使い勝っての向上が図れ、表示を消すことにより省エネを図れるという作用を有する。
【００４０】
また、請求項７記載の発明は、制御部は、除湿能力の調整を行うか行わないかを選択して設定する構成を有するものであり、使用者が就寝中や除湿機の近傍にいる場合に、除湿能力を高めた時に発生する騒音の増大と室温の上昇防止が図れるという作用を有する。
【００４１】
また、請求項８記載の発明は、前記制御部は、本体周辺の人の存在を検知する人感センサの検知結果に応じて、除湿能力の調整を行うか行わないかを判断するアルゴリズムを有したものであり、除湿能力を高めた場合に発生する騒音の増大と室温の上昇防止が使用者の操作をすることなく自動で行え、使い勝手の向上と快適性を図れるという作用を有する。
【００４２】
また、請求項９記載の発明は、前記制御部は、本体周辺の照度を検知する照度センサの検知結果に応じて、除湿能力の調整を行うか行わないかを判断するアルゴリズムを有したものであり、除湿能力を高めた場合に発生する騒音の増大と室温の上昇防止が使用者の操作をすることなく自動で行え、使い勝手の向上と快適性を図れるという作用を有する。
【００４３】
また、請求項１０記載の発明は、前記制御部は、自動で運転を停止することを特徴としたものであり、衣類の乾き度合いを使用者が確認しながら運転を手動で停止する作業が省略でき使い勝って向上を図れるという作用を有する。
【００４４】
また、請求項１１記載の発明は、制御部は、前記乾燥速度の変化量に応じた表示をするか否かを判定するアルゴリズムを有したものであり、使用者が周辺の温湿度環境の変化状況が視覚的に認識することができることにより、衣類の干し方を調整する行動を起こすことができ、使い勝手の向上が図れるという作用を有する。
【００４５】
また、請求項１２記載の発明は、乾燥速度の変化量に応じた表示をＯＮ／ＯＦＦするスイッチを備えたものであり、使用者が就寝中等に表示の明かりが気になる時に消すことができ使い勝っての向上と省エネ性を図れるという作用を有する。
【００４６】
また、請求項１３記載の発明は、制御部は、前記乾燥速度の変化量に応じた音で報知する機能を備えたものであり、使用者が周辺の温湿度環境の変化状況が聴覚的に認識することができることにより、衣類の干し方を調整する行動を起こすことができ、使い勝手の向上を図れるという作用を有する。
【００４７】
また、請求項１４記載の発明は、乾燥速度の変化量に応じた音で報知する機能をＯＮ／ＯＦＦするスイッチを備えたものであり、使用者が就寝中等に静寂な環境を必要とする時に報知する音を消すことができ使い勝っての向上が図れるという作用を有する。
【００４８】
以下、本発明の実施の形態について図面を参照しながら説明する。
【００４９】
（実施の形態１）
本発明の実施の形態１について図１〜図３を参照しながら説明する。まず、図１を用いて除湿機の構造を、図２を用いて電気的な構成を説明する。図１に示すように、除湿機は、本体１内に設けた除湿装置２と、送風機３と、再生ヒータ４と、制御部５に接続された本体の周辺空気の温度を検知する温度センサ６と本体の周辺空気の湿度を検知する湿度センサ７と、本体周辺の人の存在を検知する人感センサ８と、操作表示部９とで構成される。
【００５０】
除湿装置２は、回転する除湿手段としての除湿ロータ１０と、再生ヒータ４により加熱された空気を除湿ロータ１０に送風する再生ファン１１と、熱交換器１２および水タンク１３とで構成されている。
【００５１】
送風機３の駆動により、室内から吸い込まれた空気は熱交換器１２を冷却させた後に、除湿手段としての除湿ロータ１０で吸湿され、除湿された空気が再び室内に放出されて室内の空気が除湿される。
【００５２】
除湿ロータ１０で吸湿された水分は、除湿ロータ１０の他方において、除湿ロータ１０を加熱し再生する再生ヒータ４で加熱された温風により蒸発し、熱交換器１２で冷却されて水分として凝縮して水タンク１３に貯水される。
【００５３】
従って、後述する除湿機の除湿能力は、再生ファン１１の送風力（ファン回転数）と、再生ヒータ４の付勢電力と、送風機３の送風力（ファン回転数）を変化させることにより調整することができる。
【００５４】
なお、操作表示部９には、図示しないが、除湿機の除湿能力の調整を行うか行わないかを使用者が選択して設定する設定スイッチと、除湿能力を表示するＬＥＤと、除湿能力の表示をＯＮ／ＯＦＦできるスイッチを収納している（詳細後述）。
【００５５】
図２に示すように、制御部５は、マイクロコンピュータ２１を核とする構成である。
【００５６】
このマイクロコンピュータ２１に、除湿装置２と送風機３および再生ヒータ４がそれぞれの除湿制御手段２２と送風制御手段２３およびヒータ制御手段２４を介して接続されるとともに、温度センサ６と、湿度センサ７と、除湿機近傍の人を感知する赤外線式等の人感センサ８、および、衣類乾燥運転のスタートを操作するためのスイッチや後述する除湿能力の調整を行うか行わないかを選択して設定する設定スイッチや除湿能力を表示するＬＥＤや除湿能力を表示するＬＥＤをＯＮ／ＯＦＦ切り換えするスイッチが操作表示部９に接続されている。
【００５７】
ここで、除湿制御手段２２は、例えば、再生ファン１１を駆動するためのモータの巻き線タップ（図示しない）を切り換えるためのリレーであり、送風制御手段２３は、例えば、送風機３を駆動するためのモータの巻き線タップ（図示しない）を切り換えるためのリレーである。また、ヒータ制御手段２４は、例えば、再生ヒータ４のタップ（図示しない）を切り換えるためのリレーである。
【００５８】
また、マイクロコンピュータ２１の内部は、空気線図２５と、乾燥完了乾燥度Ｄｘテーブル（運転初期の室内温度と相対湿度に関連した実験結果に基づく常数テーブル）２６と、乾燥条件算出手段２７と、乾燥速度算出手段２８と、乾燥量を検出する乾燥度算出手段２９と、乾燥速度変化量すなわち目標乾燥加速度ΔＴｘテーブル（室内温度と相対湿度に対応した一定期間における乾燥速度の変化量に関連した実験結果に基づく常数テーブル）３０および運転停止タイマー３１を内容している。
【００５９】
また、図３に示すように制御部５は、衣類乾燥運転開始時に、温度センサ６と湿度センサ７の信号を受けて周辺空気の温度Ｔｒと相対湿度Ｈｒとから、総乾燥量としての乾燥完了の判定値Ｄｘを設定するアルゴリズム５Ａと、一定期間毎に検出した前記温度Ｔｒと相対湿度Ｈｒに基づいて衣類の乾燥速度Ｔｔを算出するアルゴリズム５Ｂと、前記一定期間毎にこの期間における乾燥速度Ｔｔの累積値∫Ｔｔを加算して乾燥量（Σ∫Ｔｔ）を算出するアルゴリズムと、前記乾燥量が前記の乾燥完了の判定値Ｄｘに達したときに衣類の乾燥が終了したと判断するアルゴリズム５Ｄと、温度センサ６と湿度センサ７の信号を受けて周辺空気の温度Ｔｒと相対湿度Ｈｒとから、前記一定期間毎に検出した湿度センサと温度センサの検出値に基づいて目標乾燥加速度ΔＴｘを検出するアルゴリズム５Ｅと、一定期間毎に算出した乾燥加速度と前記目標乾燥加速度ΔＴｘとを比較して除湿能力を調整するアルゴリズム５Ｆと、前記比較結果に応じて、除湿能力を調整するアルゴリズム５Ｇとを有する。
【００６０】
また、制御部５は、除湿能力の調整を行うか行わないかを選択して設定する構成として、人感センサ８の検知結果に応じて、除湿能力の調整を行うか行わないかを判断するアルゴリズム５Ｈを有する。
【００６１】
さらに、操作表示部９にこの操作表示部９の除湿能力の表示をするか否かを選択する設定スイッチ（図示せず）を設け、制御部５は、このスイッチが有効設定になっているか否かをチェックするアルゴリズム５Ｊを有する。
【００６２】
そして、マイクロコンピュータ２１は、以上の内蔵している要部が温度センサ６と、湿度センサ７と、人感センサ８および、操作表示部９の情報に基づいて機能し、除湿装置２と、送風機３および、再生ヒータ４を制御する構成を有する。
【００６３】
上記構成において、以下本実施の形態の除湿機について、その運転動作を説明する。
【００６４】
本実施の形態の除湿機による衣類乾燥の運転は、使用者が操作表示部９の衣類乾燥運転のスタートスイッチ（図示しない）を押した時点から、衣類乾燥運転が自動的に終了するまで、図３のフローチャートに示すアルゴリズムによって除湿機の運転が進められる。
【００６５】
図３のＳ１１において、温度センサ６と湿度センサ７が除湿機周辺空気の温度Ｔｒと相対湿度Ｈｒを検知する。
【００６６】
次に、総乾燥量としての乾燥完了の判定値Ｄｘを設定するアルゴリズム５Ａは、Ｓ１２において、マイクロコンピュータ２１は、乾燥完了の判定値Ｄｘのテーブル２６から検知した前記温度Ｔｒと湿度Ｈｒに相当する乾燥完了の判定値Ｄｘを抽出して設定する。
【００６７】
次にＳ１３において、一定時間（例えば１分）で除湿機周辺空気の温度Ｔｒと湿度Ｈｒを検知する。
【００６８】
また、衣類の乾燥速度Ｔｔを算出するアルゴリズム５Ｂは、Ｓ１４において、前記温度Ｔｒ  と湿度Ｈｒデータに基づいてマイクロコンピュータ２１が、以下の処理を実施する。すなわち、周辺空気の温度Ｔｒと湿度Ｈｒとから、周辺空気の全熱量Ｉｒと絶対湿度Ｈｒを求める。
【００６９】
さらにＳ１５において、周辺空気の全熱量Ｉｒと絶対湿度Ｘｒから乾燥条件算出手段２７が衣類近傍空気の絶対湿度Ｘｃを推定する（この場合衣類近傍空気の相対湿度は１００％として推定する）。
【００７０】
そして、Ｓ１６において、乾燥速度算出手段２８が、温度センサ６と湿度センサ７の検出値から推定した衣類近傍空気の絶対湿度Ｘｃと温度センサ６と湿度センサ７の検出値から算出した周辺空気の絶対湿度Ｘｒとの差に係数αを乗じた乾燥速度Ｔｔ（＝α（Ｘｃ−Ｘｒ））を演算する。
【００７１】
この乾燥速度Ｔｔは、乾燥量を算出するアルゴリズム５Ｃにより、Ｓ１７で乾燥度算出手段２９において加算累積され、加算累積値∫Ｔｔとしてマイクロコンピュータ２１内のメモリに記憶される。
【００７２】
そしてＳ１８において、衣類乾燥運転のスタートから所定周期としての５分が経過するまでは、後述するＳ２５へジャンプするが、衣類乾燥運転のスタートから所定周期としての５分が経過した時は、Ｓ１９において、操作表示部９の除湿能力を調整を行うか行わないかを選択する設定スイッチにて設定しているか否かすなわち有効設定になっているか否かをチェックする。「ＮＯ（否）」であればＳ２５へジャンプするが、「ＹＥＳ（有効設定されている）」であれば次のＳ２０において、人感センサ８が人を検知しているかをチェックする。人を検知していなければＳ２５へジャンプするが、人を検知していれば次のＳ２１の処理を行う。
【００７３】
人を検知している場合、目標乾燥加速度ΔＴｘを検出するアルゴリズム５Ｅは、Ｓ２１において、温度センサ６と湿度センサ７の信号を受けて周辺空気の温度Ｔｒと相対湿度Ｈｒとから、一定期間で変化する目標乾燥化速度ΔＴｘを目標乾燥化速度ΔＴｘテーブルを参照し設定する。
【００７４】
そして、Ｓ２２において一定期間における前記乾燥速度の変化量すなわち乾燥加速度として「Ｔｔ−Ｔ（ｔ−１）」を算出し、その算出した乾燥加速度「Ｔｔ−Ｔ（ｔ−１）」と前記目標乾燥加速度ΔＴｘとが比較される。「Ｔｔ−Ｔ（ｔ−１）＜ΔＴｘ」に対して「ＹＥＳ」すなわち５分間の乾燥加速度が小さく目標としている除湿能力が不足している状態であるのでＳ２３にて除湿能力がアップされ、「ＮＯ」であれば乾燥加速度が大きく除湿能力が過剰な状態であるのでＳ２４にて除湿能力がダウンされる。
【００７５】
ここで、Ｓ２３の除湿能力をアップする処理とＳ２４の除湿能力をダウンする処理についてさらに説明する。
【００７６】
Ｓ２３において、一定期間における前記乾燥速度の変化量すなわち乾燥加速度が前記目標乾燥加速度ΔＴｘの３０％未満の場合であれば送風機３の送風力を高めると共に、再生ヒータ４の付勢電力を高めた状態で運転を行うこととなる。また、が目標乾燥加速度ΔＴｘの６０％以上１００％未満の場合であれば送風機３の送風力を高めた状態で運転を行なうこととなる。
【００７７】
また、Ｓ２４において、一定期間における前記乾燥速度の変化量が前記目標乾燥加速度ΔＴｘに対して１００％を超え１３０％未満の場合であれば送風機３の送風力を低めた状態で運転を行うことになる。また、一定期間における前記乾燥加速度が前記目標乾燥加速度ΔＴｘの１３０％以上の場合であれば送風機３の送風力を低めると共に、再生ヒータ４の付勢電力を低めた状態で運転を行うこととなる。
【００７８】
このように、衣類乾燥運転の途中で、一定期間毎に目標の除湿能力を示す目標乾燥加速度と一定期間における実際の乾燥速度の変化量すなわち乾燥加速度とを比較して、その大小と偏差値に応じて、送風機３や再生ヒータ４の付勢電力を組み合わせて除湿機の能力を高めたり、または、低めたりして調整を行い、所定時間内（この場合１０時間）に衣類を適正に乾燥できる。なお、除湿機の能力を調整する方法としては、前述したように、除湿装置２の再生ファン１１の送風力（ファン回転数）を調整することであってもよく、これらを組み合わせて実施してもかまわない。
【００７９】
さてこのようにして除湿機の能力を調整して運転を行うが、使用者が除湿能力の調整状況が視覚的に認識して衣類の干し方を調整してより効果的に衣類乾燥が行えるようにするために運転状態である除湿運転の能力を示す必要がある。そこで、図３のＳ２５に示すよう操作表示部９の除湿能力の表示をするかどうかを選択する設定スイッチが有効設定になっているか否かをチェックする。「ＮＯ（否）」であればＳ２７へジャンプするが、「ＹＥＳ（有効設定になっている）」であれば次のＳ２６において、除湿能力の調整結果の表示を行う。つまり、除湿能力アップと除湿能力ダウンに対応したＬＥＤの点灯を行う（ＬＥＤおよび具体的な表示は図示しない）。
【００８０】
また、衣類の乾燥が終了したと判断するアルゴリズム５Ｄは、Ｓ２７において、前記一定期間毎にこの期間における乾燥速度Ｔｔの累積値∫Ｔｔを加算して算出した乾燥量と、総乾燥量としての乾燥完了の判定値Ｄｘを比べて乾燥終了のチェックが行われ、このステップで「ＮＯ」と判断された場合、すなわち乾燥量が総乾燥量満たない場合は、再びＳ１３の戻り、１分毎のＴｒとＨｒの検知を行い、これに基づいて前述の算出動作が行われ衣類の乾燥状態である累積値∫Ｔｔを算出しながら運転を続けることとなる。そして再びＳ２７で衣類の乾燥量がＳ１２で再度設定された総乾燥量に達すると衣類乾燥運転が終了する。
【００８１】
以上説明したように本発明の除湿機は、一定期間毎に目標の除湿能力を示す目標乾燥加速度と一定期間毎の乾燥加速度とを比較して、その結果により、送風機の回転数や再生ヒータの付勢電力を調整して除湿機の除湿能力を調整するようにしたものである。
【００８２】
このことにより、部屋の広さ、部屋の湿度、衣類の量などの条件が異なった場合、運転の途中に周辺の温湿度環境が変化した場合にも、所定時間内に衣類を適正に乾燥させることができる。
【００８３】
（実施の形態２）
本発明の実施の形態２について図４〜図６を参照しながら説明する。まず、図４を用いて除湿機の構造を、図５を用いて電気的な構成を説明する。
【００８４】
図４と図５において、本実施の形態は、実施の形態１で、制御部５に接続するセンサの一つとして人感センサ８と除湿能力の調整を行うか行わないかと判断するアルゴリズム５Ｈを設けていたのに対して、除湿機周辺の照度を検出する照度センサ５１と、この照度センサ５１の検知結果に応じて、除湿能力の調整を行うか行わないかを判断するアルゴリズム５Ｋを設けている。また、実施の形態１で操作表示部９にこの操作表示部９の除湿能力の表示をするか否かを選択する設定スイッチ（図示せず）を設け、制御部５は、このスイッチが有効設定になっているか否かをチェックするアルゴリズム５Ｊを設けていたのに対し、本実施の形態では、操作表示部９にこの操作表示部９が乾燥速度変化量すなわち乾燥加速度の表示をするか否かを選択する設定スイッチ（図示せず）を設け、制御部５は、このスイッチが有効設定になっているか否かをチェックするアルゴリズム５Ｌを設けている。
【００８５】
なお、図４と図５について、理解を容易にするために実施の形態１と同様の構成は同一符号を用いてその説明を簡略化する。
【００８６】
以下、前記アルゴリズム５Ｋと前記アルゴリズム５Ｌについて説明する。
【００８７】
図６は使用者が操作表示部９の衣類乾燥運転のスタートスイッチ（図示しない）を押した時点から、衣類乾燥運転が自動的に終了するまでの動作を示すフローチャートである。
【００８８】
図６において、制御部５に接続された照度センサ５１の検知結果に応じて、除湿能力の調整を行うかどうかの判断を設けた点と、操作表示部９にこの操作表示部９に乾燥加速度の表示を行なう表示部（図示せず）と乾燥加速度の表示をするか否かを選択する設定スイッチ（図示せず）とを設け、制御部５は、このスイッチが有効設定になっているか否かをチェックするアルゴリズム５Ｌを設けた点である。すなわち、Ｓ６０において、照度センサ５１が暗いと検知していればＳ６５へジャンプするが、明るいと検知していれば次のＳ２１以降の除湿能力の調整の処理を行う。
【００８９】
Ｓ６５において、操作表示部９の乾燥加速度の表示をするかどうかを選択する設定スイッチが有効設定になっているか否かをチェックする。「ＮＯ（否）」であればＳ２７へジャンプするが、「ＹＥＳ（有効設定になっている）」であれば次のＳ６６において、乾燥加速度の判定結果の表示を行う。つまり、乾燥加速度の不足と過剰に対応したＬＥＤの点灯を行う（ＬＥＤおよび具体的な表示は図示しない）。
【００９０】
以上の構成により、除湿機の本体周辺が明るいときは除湿能力の調整を行い、除湿機周辺が暗ければ除湿能力の調整を行わない。また、乾燥速度変化量の判定結果の表示が有効設定になっていれば、乾燥加速度の不足と過剰に対応したＬＥＤの点灯を行い、乾燥速度変化量の判定結果の表示が無効設定になっていれば、乾燥加速度の不足と過剰に対応したＬＥＤを消灯する。
【００９１】
このことにより、夜間の就寝中など自動で除湿能力の調整を行わなくすることにより除湿機から発生する騒音の維持をすることができる。すなわち除湿能力の調整による不意な騒音の発生をなくし使い勝手と快適性の向上が図れる。また、乾燥速度の変化量に応じたＬＥＤを点灯することにより、使用者が周辺の温湿度環境の変化状況を視覚的に認識することができ、衣類の干し方を調整する行動を起こすことができ使い勝手の向上が図れる。
【００９２】
（実施の形態３）
本発明の実施の形態３について図７〜図８を参照しながら説明する。まず、図７を用いて電気的な構成を説明する。
【００９３】
図７において、本実施の形態は、実施の形態２で操作表示部９にこの操作表示部９の乾燥速度変化量すなわち乾燥加速度の表示をするか否かを選択する設定スイッチ（図示せず）を設け、制御部５は、このスイッチが有効設定になっているか否かをチェックするアルゴリズム５Ｌを設けていたのに対して、操作表示部９にこの操作表示部９が乾燥加速度に応じた音で報知をするか否かを選択する設定スイッチ（図示せず）を設け、制御部５は、このスイッチが有効設定になっているか否かをチェックするアルゴリズム５Ｍを設けたものである。
【００９４】
なお、図７と図８について、理解を容易にするために実施の形態２と同様の構成は同一符号を用いてその説明を簡略化する。
【００９５】
以下、前記アルゴリズム５Ｌについて説明する。
【００９６】
図８は使用者が操作表示部９の衣類乾燥運転のスタートスイッチ（図示しない）を押した時点から、衣類乾燥運転が自動的に終了するまでの動作を示すフローチャートである。
【００９７】
図８において、実施の形態２と異なるところは、操作表示部９にこの操作表示部９が乾燥加速度に応じた音で報知をするか否かを選択する設定スイッチ（図示せず）を設け、制御部５は、このスイッチが有効設定になっているか否かをチェックするアルゴリズム５Ｍを設けた点である。すなわち、Ｓ６０において、照度センサ５１が暗いと検知していればＳ２７へジャンプするが、明るいと検知していれば次のＳ２１以降の除湿能力の調整の処理を行う。
【００９８】
Ｓ８５において、操作表示部９が乾燥加速度に応じた音で報知をするかどうかを選択する設定スイッチが有効設定になっているか否かをチェックする。「ＮＯ（否）」であればＳ２７へジャンプするが、「ＹＥＳ（有効設定になっている）」であれば次のＳ８６において、乾燥加速度の判定結果に応じた音で報知を行う。つまり、乾燥加速度の不足と過剰に対応したブザー音で報知を行う。なお、Ｓ８６における音での報知については乾燥加速度に応じた音声ガイドでの報知でも良い。
【００９９】
以上の構成により、乾燥加速度に応じた音での報知が有効設定になっていれば、乾燥加速度の不足と過剰に対応したブザー音で報知を行い、乾燥加速度に応じた音での報知が無効設定になっていれば、乾燥加速度の不足と過剰に対応したブザー音での報知は行わない。
【０１００】
このことにより、乾燥加速度に応じたブザー音で報知することにより、使用者が周辺の温湿度環境の変化状況を聴覚的に認識することができ、衣類の干し方を調整する行動を起こすことができ使い勝手の向上が図れる。
【産業上の利用可能性】
【０１０１】
本発明の除湿機は、部屋の広さ、部屋の湿度、衣類の量などの条件が異なった場合、衣類乾燥運転中に衣類の追加や、窓の開閉による周辺の温湿度環境の変化があった場合にも、所定時間内に衣類を適正に乾燥させることができ、また、就寝中や使用者が除湿機近傍にいるときなど不必要な騒音を排除できるので家庭用の除湿機に関わらず旅館など業務用の用途にも適用できる。
【図面の簡単な説明】
【０１０２】
【図１】本発明の実施の形態１の除湿機の構造を示す図
【図２】同電気的な構成を示す図
【図３】同運転動作の詳細を示すフローチャート
【図４】本発明の実施の形態２の除湿機の構造を示す図
【図５】同電気的な構成を示す図
【図６】同運転動作の詳細を示すフローチャート
【図７】本発明の実施の形態２の除湿機の構造を示す図
【図８】同運転動作の詳細を示すフローチャート
【符号の説明】
【０１０３】
１    本体
２    除湿装置
３    送風機
４    再生ヒータ
５    制御部
５Ａ  アルゴリズム
５Ｂ  アルゴリズム
５Ｃ  アルゴリズム
５Ｄ  アルゴリズム
５Ｅ  アルゴリズム
５Ｆ  アルゴリズム
５Ｇ  アルゴリズム
５Ｈ  アルゴリズム
５Ｊ  アルゴリズム
５Ｋ  アルゴリズム
５Ｌ  アルゴリズム
５Ｍ  アルゴリズム
６    温度センサ
７    湿度センサ
８    人感センサ
９    操作表示部
１０  除湿ロータ
１１  再生ファン
１２  熱交換器
１３  水タンク
５１  照度センサ
【図１】
2010145064.tif 000003
【図２】
2010145064.tif 000004
【図３】
2010145064.tif 000005
【図４】
2010145064.tif 000006
【図５】
2010145064.tif 000007
【図６】
2010145064.tif 000008
【図７】
2010145064.tif 000009
【図８】
2010145064.tif 000010